(57)【特許請求の範囲】
【請求項１】
移動体に搭載され、コンテンツ提供サーバから取得したコンテンツデータの、前記移動体に搭載された表示装置への表示を制御する表示制御装置であって、
無線通信ネットワークを介して、前記コンテンツ提供サーバに接続する無線通信インタフェースと、
モバイル通信ネットワークを介して、前記コンテンツ提供サーバに接続するモバイル通信インタフェースと、
前記無線通信インタフェースおよび前記モバイル通信インタフェースのうちの少なくともいずれかを介して、前記コンテンツ提供サーバにテストパケットを送信し、前記テストパケットを送信した結果に基づいて、前記無線通信インタフェースおよび前記モバイル通信インタフェースのいずれで通信するかを決定し、決定した通信インタフェースを介して、前記コンテンツ提供サーバに、前記表示装置に表示するコンテンツデータの識別子と、当該コンテンツデータを表示する条件として平常時または非常時の別を対応づけたプレイリストデータを要求し、前記コンテンツ提供サーバから、前記プレイリストデータを受信し、前記プレイリストデータで指定されたコンテンツデータのうち、当該表示制御装置が記憶していないコンテンツデータを特定して、前記コンテンツ提供サーバに、特定した前記コンテンツデータを要求し、前記コンテンツ提供サーバから、前記特定したコンテンツデータを取得するコンテンツ取得手段と、
非常時であることを検知し、モードデータに非常時を設定するモード取得手段と、
前記モードデータに非常時が設定される場合、前記プレイリストデータを参照して、前記非常時の条件に適合するコンテンツデータを、前記表示装置に表示させるコンテンツ表示手段を備え、
前記プレイリストデータにおいて、前記非常時のコンテンツデータに、大きい音声で出力するためのボリュームの設定情報が対応づけられる
ことを特徴とする表示制御装置。
【請求項２】
前記コンテンツ取得手段は、
前記コンテンツ提供サーバに、１パケットあたりのデータ量を指定してデータを要求し、
前記無線通信インタフェースを介してデータを取得する場合のデータ量は、前記モバイル通信インタフェースを介してデータを取得する場合のデータ量よりも大きい
ことを特徴とする請求項１に記載の表示制御装置。
【請求項３】
移動体に搭載された表示制御装置が、コンテンツ提供サーバから取得したコンテンツデータの、前記移動体に搭載された表示装置への表示を制御する表示制御方法であって、
前記表示制御装置は、
無線通信ネットワークを介して、前記コンテンツ提供サーバに接続する無線通信インタフェースと、
モバイル通信ネットワークを介して、前記コンテンツ提供サーバに接続するモバイル通信インタフェースを備え、
前記表示制御装置が、前記無線通信インタフェースおよび前記モバイル通信インタフェースのうちの少なくともいずれかを介して、前記コンテンツ提供サーバにテストパケットを送信するステップと、
前記表示制御装置が、前記テストパケットを送信した結果に基づいて、前記無線通信インタフェースおよび前記モバイル通信インタフェースのいずれで通信するかを決定するステップと、
前記表示制御装置が、決定した通信インタフェースを介して、前記コンテンツ提供サーバに、前記表示装置に表示するコンテンツデータの識別子と、当該コンテンツデータを表示する条件として平常時または非常時の別を対応づけたプレイリストデータを要求するステップと、
前記表示制御装置が、前記コンテンツ提供サーバから、前記プレイリストデータを取得するステップと、
前記表示制御装置が、前記プレイリストデータで指定されたコンテンツデータのうち、当該表示制御装置が記憶していないコンテンツデータを特定して、前記コンテンツ提供サーバに、特定した前記コンテンツデータを要求するステップと、
前記表示制御装置が、前記コンテンツ提供サーバから、前記特定したコンテンツデータを取得するステップと、
前記表示制御装置が、非常時であることを検知し、モードデータに非常時を設定するステップと、
前記表示制御装置が、前記モードデータに非常時が設定される場合、前記プレイリストデータを参照して、前記非常時の条件に適合するコンテンツデータを、前記表示装置に表示させるステップを備え、
前記プレイリストデータにおいて、前記非常時のコンテンツデータに、大きい音声で出力するためのボリュームの設定情報が対応づけられる
ことを特徴とする表示制御方法。
【請求項４】
コンピュータに、請求項１ないし請求項２のいずれか１項に記載の手段として機能させるための表示制御プログラム。
【請求項５】
コンテンツデータを提供するコンテンツ提供サーバと、移動体に搭載され、前記コンテンツ提供サーバから取得したコンテンツデータの、前記移動体に搭載された表示装置への表示を制御する表示制御装置とを備えるコンテンツ表示システムであって、
前記表示制御装置は、
無線通信ネットワークを介して、前記コンテンツ提供サーバに接続する無線通信インタフェースと、
モバイル通信ネットワークを介して、前記コンテンツ提供サーバに接続するモバイル通信インタフェースと、
前記無線通信インタフェースおよび前記モバイル通信インタフェースのうちの少なくともいずれかを介して、前記コンテンツ提供サーバにテストパケットを送信し、前記テストパケットを送信した結果に基づいて、前記無線通信インタフェースおよび前記モバイル通信インタフェースのいずれで通信するかを決定し、決定した通信インタフェースを介して、前記コンテンツ提供サーバに、前記表示装置に表示するコンテンツデータの識別子と、当該コンテンツデータを表示する条件として平常時または非常時の別を対応づけたプレイリストデータを要求し、前記コンテンツ提供サーバから、前記プレイリストデータを受信し、前記プレイリストデータで指定されたコンテンツデータのうち、当該表示制御装置が記憶していないコンテンツデータを特定して、前記コンテンツ提供サーバに、特定した前記コンテンツデータを要求し、前記コンテンツ提供サーバから、前記特定したコンテンツデータを取得するコンテンツ取得手段と、
非常時であることを検知し、モードデータに非常時を設定するモード取得手段と、
前記モードデータに非常時が設定される場合、前記プレイリストデータを参照して、前記非常時の条件に適合するコンテンツデータを、前記表示装置に表示させるコンテンツ表示手段を備え、
前記コンテンツ提供サーバは、
前記テストパケットを受信すると、前記表示制御装置に受信した旨を送信するとともに、前記データの要求に対して、前記データを送信する処理手段を備え、
前記プレイリストデータにおいて、前記非常時のコンテンツデータに、大きい音声で出力するためのボリュームの設定情報が対応づけられる
ことを特徴とするコンテンツ表示システム。
【発明の詳細な説明】
【技術分野】
【０００１】
本発明は、移動体に搭載され、コンテンツ提供サーバから取得したコンテンツデータの、移動体に搭載された表示装置への表示を制御する表示制御装置、表示制御方法、表示制御プログラムおよびコンテンツ表示システムに関する。
【背景技術】
【０００２】
乗客を乗せて所望の目的地まで運ぶバスや電車などにおいて、乗客に閲覧させるための広告や路線情報などが掲載されるのが一般的である。昨今の情報機器の発達に伴って、電車において、広告や路線情報等が、紙媒体のみならず、液晶ディスプレイなどの電子的な表示装置にコンテンツデータとして表示される状況も増えている。
【０００３】
このような表示装置がコンテンツを表示する際に、コンテンツの提供側が、コンテンツのダウンロードに利用される通信方式を指定する方法がある（例えば特許文献１参照。）。この特許文献１に記載の方法によれば、コンテンツの提供を受ける端末は、コンテンツの提供側からコンテンツのダウンロードに利用する通信方式を取得して、その通信方式に従って、コンテンツをダウンロードする。
【先行技術文献】
【特許文献】
【０００４】
【特許文献１】特開２００７−３４８１０号公報
【発明の概要】
【発明が解決しようとする課題】
【０００５】
コンテンツは、時期や状況に応じて変更されるため、移動体においてコンテンツデータを表示する場合、電車やバスの車庫などにおいて、コンテンツを入れ替える方法が考えられる。しかしながらこの方法では、電車やバスが車庫から離れている場合、災害発生時や天候不順等に応じて、適時に、円滑にコンテンツを取得できない可能性がある。また、コンテンツは、テキストデータのみならず、圧縮率の異なる静止画、動画など、多様なデータ形式を有するので、コンテンツのダウンロードに時間を要し、適時に、円滑にコンテンツを取得できない可能性がある。
【０００６】
このように、コンテンツを適切に取得できない問題は、バスにおいて顕著になる。例えば電車は、予め無線通信やケーブル通信のインフラが整備されており、その一部の帯域を使って、円滑にコンテンツを受信できる可能性がある。しかしながらバスにはこのような設備が整っていないため、予めコンテンツを登録する措置等が必要になり、円滑にコンテンツを取得できない可能性がある。さらに、バスの場合、路線が複雑化しており、全車で統一したコンテンツ表示ではなく、バスの位置に依存したコンテンツの提供が求められる。また、バスの運行路線が終日固定せず、バスは一日のうちに複数の路線を運行する場合がある。従って、バスの場合、運行に必要なコンテンツのみを適切なタイミングで取得する要請が特に高い。
【０００７】
従って本発明の目的は、移動体において円滑にコンテンツを取得することが可能な表示制御装置、表示制御方法、表示制御プログラムおよびコンテンツ表示システムを提供することである。
【課題を解決するための手段】
【０００８】
上記課題を解決するために、本発明の第１の特徴は、移動体に搭載され、コンテンツ提供サーバから取得したコンテンツデータの、移動体に搭載された表示装置への表示を制御する表示制御装置に関する。本発明の第１の特徴に係る表示制御装置は、無線通信ネットワークを介して、コンテンツ提供サーバに接続する無線通信インタフェースと、モバイル通信ネットワークを介して、コンテンツ提供サーバに接続するモバイル通信インタフェースと、無線通信インタフェースおよびモバイル通信インタフェースのうちの少なくともいずれかを介して、コンテンツ提供サーバにテストパケットを送信し、テストパケットを送信した結果に基づいて、無線通信インタフェースおよびモバイル通信インタフェースのいずれで通信するかを決定し、決定した通信インタフェースを介して、コンテンツ提供サーバにコンテンツデータの表示に関するデータを要求し、コンテンツ提供サーバから、データを取得するコンテンツ取得手段を備える。
【０００９】
コンテンツ取得手段は、決定した通信インタフェースを介して、コンテンツ提供サーバに、表示装置に表示するコンテンツデータを指定するプレイリストデータを要求し、コンテンツ提供サーバからプレイリストデータを受信し、プレイリストデータで指定されたコンテンツデータのうち、当該表示制御装置が記憶していないコンテンツデータを特定して、コンテンツ提供サーバに、特定したコンテンツデータを要求し、コンテンツ提供サーバから、特定したコンテンツデータを取得しても良い。
【００１０】
コンテンツ取得手段は、コンテンツ提供サーバに、１パケットあたりのデータ量を指定してデータを要求し、無線通信インタフェースを介してデータを取得する場合のデータ量は、モバイル通信インタフェースを介してデータを取得する場合のデータ量よりも大きくても良い。
【００１１】
プレイリストデータは、コンテンツデータの識別子と、当該コンテンツデータを表示する移動体の位置、時間、平常時または非常時の別の少なくともいずれか一つ以上を含む条件を対応づけており、プレイリストデータを参照して、条件に適合するコンテンツデータを、表示装置に表示させるコンテンツ表示手段をさらに備えても良い。
【００１２】
本発明の第２の特徴は、移動体に搭載された表示制御装置が、コンテンツ提供サーバから取得したコンテンツデータの、移動体に搭載された表示装置への表示を制御する表示制御方法に関する。本発明の第２の特徴に係る表示制御方法は、表示制御装置は、無線通信ネットワークを介して、コンテンツ提供サーバに接続する無線通信インタフェースと、モバイル通信ネットワークを介して、コンテンツ提供サーバに接続するモバイル通信インタフェースを備え、表示制御装置が、無線通信インタフェースおよびモバイル通信インタフェースのうちの少なくともいずれかを介して、コンテンツ提供サーバにテストパケットを送信するステップと、表示制御装置が、テストパケットを送信した結果に基づいて、無線通信インタフェースおよびモバイル通信インタフェースのいずれで通信するかを決定するステップと、表示制御装置が、決定した通信インタフェースを介して、コンテンツ提供サーバにコンテンツデータの表示に関するデータを要求するステップと、表示制御装置が、コンテンツ提供サーバから、データを取得するステップを備える。
【００１３】
本発明の第３の特徴は、コンピュータに本発明の第１の特徴に記載の手段として機能させるための表示制御プログラムに関する。
【００１４】
本発明の第４の特徴は、コンテンツデータを提供するコンテンツ提供サーバと、移動体に搭載され、コンテンツ提供サーバから取得したコンテンツデータの、移動体に搭載された表示装置への表示を制御する表示制御装置とを備えるコンテンツ表示システムに関する。本発明の第４の特徴に係るコンテンツ表示システムにおいて表示制御装置は、無線通信ネットワークを介して、コンテンツ提供サーバに接続する無線通信インタフェースと、モバイル通信ネットワークを介して、コンテンツ提供サーバに接続するモバイル通信インタフェースと、無線通信インタフェースおよびモバイル通信インタフェースのうちの少なくともいずれかを介して、コンテンツ提供サーバにテストパケットを送信し、テストパケットを送信した結果に基づいて、無線通信インタフェースおよびモバイル通信インタフェースのいずれで通信するかを決定し、決定した通信インタフェースを介して、コンテンツ提供サーバにコンテンツデータの表示に関するデータを要求し、コンテンツ提供サーバから、データを取得するコンテンツ取得手段を備える。本発明の第４の特徴に係るコンテンツ表示システムにおいてコンテンツ提供サーバは、テストパケットを受信すると、表示制御装置に受信した旨を送信するとともに、データの要求に対して、データを送信する処理手段を備える。
【発明の効果】
【００１５】
本発明によれば、移動体において適時にコンテンツを取得することが可能な表示制御装置、表示制御方法、表示制御プログラムおよびコンテンツ表示システムを提供することができる。
【図面の簡単な説明】
【００１６】
【図１】本発明の実施の形態に係るコンテンツ表示システムのシステム構成を説明する図である。
【図２】本発明の実施の形態に係る表示制御装置のハードウエア構成と機能ブロックを説明する図である。
【図３】本発明の実施の形態に係るプレイリストデータのデータ構造とデータの一例を説明する図である。
【図４】本発明の実施の形態に係る表示制御方法を説明するフローチャートである。
【図５】本発明の実施の形態に係る表示制御方法において、コンテンツを取得する処理を説明するフローチャートである。
【発明を実施するための形態】
【００１７】
次に、図面を参照して、本発明の実施の形態を説明する。以下の図面の記載において、同一または類似の部分には同一または類似の符号を付している。
【００１８】
（コンテンツ表示システム）
本発明の実施の形態に係るコンテンツ表示システム８は、バス７に搭載された表示装置２およびスピーカー３と、コンテンツデータを提供するコンテンツ提供サーバ４と、バス７に搭載され、コンテンツ提供サーバ４から取得したコンテンツデータの表示装置２への表示を制御する表示制御装置１とを備える。表示装置２は、移動体に乗車する乗客等が参照するコンテンツデータを表示し、いわゆるデジタルサイネージである。本発明の実施の形態においてバス７は、移動体の一種である。本発明の実施の形態に係る表示制御装置１は、バス７に限らず、乗用車、タクシー、電車などの、各種移動体に搭載されても良い。
【００１９】
表示制御装置１とコンテンツ提供サーバ４は、複数の通信ネットワークを介する複数の通信ルートで、相互に通信可能に接続される。本発明の実施の形態において、複数の通信ネットワークは、無線通信ネットワーク５と、モバイル通信ネットワーク６である。表示制御装置１は、Ｗｉ−Ｆｉなどの無線ＬＡＮの無線通信アクセスポイント５ａおよび無線通信ネットワーク５を介して、コンテンツ提供サーバ４に接続する。表示制御装置１は、通信キャリアが整備するモバイル通信基地局６ａおよびモバイル通信ネットワーク６を介して、コンテンツ提供サーバ４に接続する。ここで、無線通信ネットワーク５およびモバイル通信ネットワーク６は、インターネット等の有線のコアネットワークを介して、コンテンツ提供サーバ４に接続しても良い。
【００２０】
表示制御装置１は、コンテンツ提供サーバ４からコンテンツデータ１３を取得して、表示装置２およびスピーカー３に入力する。表示装置２は、動画や静止画などのコンテンツが入力されると、そのコンテンツを表示または再生して、出力する。スピーカー３は、音声などのコンテンツが入力されると、そのコンテンツを再生して、出力する。これによりバス７の乗客はコンテンツを視聴することができる。
【００２１】
コンテンツは例えば、バス７が次に停車する停留所の案内など、バス７の運行ルートに関する情報、バス７が走行する路線の店舗や運行会社の広告に関する情報を含む。またコンテンツとして、災害が発生していないときに、災害が発生した際のバスの走行位置の近傍の避難所を周知する情報や、実際に災害が発生した際の避難所の混雑状況などの防災情報を含んでも良い。また、コンテンツとして、ニュース、天気情報、電車の運行情報などを含んでもよい。
【００２２】
本発明の実施の形態において、バス７の運行ルートや広告に関する情報は、月に一度、日に一度など定期的に入れ替わり、時々刻々と内容が変化する情報ではないから、高品質なコンテンツであって、比較的データ量の大きい動画などのコンテンツとして作成されても良い。ニュース、天気予報、電車が正常に運行していることを示す運行情報などは、平常時に送受信されるものの、時々刻々と変化し、随時取得することが好ましいので、バス７において十分取得可能なデータ量のコンテンツとして作成されることが好ましい。一方、実際に災害が発生した際の防災情報、天気情報の中でも悪天候に関する情報、電車が正常に運行していないことを示す運行情報などは、リアルタイムに提供されるべき情報であり、乗客の関心が高いものである。従って、これらのリアルタイムに提供されるコンテンツは、非常時においても確実に取得できるように、比較的データ量の小さい静止画で作成されることが好ましい。
【００２３】
本発明の実施の形態においてバス７は、表示制御装置１の通信状況は、バス７の位置に応じて、常に変化する。そこで表示制御装置１は、コンテンツ提供サーバ４にテストパケットを送信して、コンテンツ提供サーバ４との通信に用いる通信インタフェースを決定する。表示制御装置１は、決定した通信インタフェースを介して、コンテンツ提供サーバ４に、コンテンツを再生するためのプレイリストの更新を確認したり、新たなコンテンツデータを取得したりする。
【００２４】
コンテンツ提供サーバ４は、一般的なコンピュータが所定の機能を実現するための表示制御プログラムを実行することにより実現される。コンテンツ提供サーバ４は、コンテンツデータを記憶するとともに、バス７の識別子と、バス７に提供するプレイリストデータを対応づけて保持する。プレイリストデータ１４は、バス７で再生するコンテンツを特定するリストである。
【００２５】
コンテンツ提供サーバ４は、表示制御装置１からの要求に従って、データを処理する処理装置（図示せず）を備える。コンテンツ提供サーバ４は、テストパケットを受信すると、受信した旨を返信したり、要求されたコンテンツデータを送信したりする。さらにコンテンツ提供サーバ４は、表示制御装置１からバス７の識別子を受信すると、このバス７におけるプレイリストデータの更新を確認し、更新されている場合は更新後のプレイリストデータを返信する。なお、コンテンツ提供サーバ４において、プレイリストデータは、運用者により随時更新されても良いし、所定のタイミングで更新されても良い。
【００２６】
（表示制御装置）
図２を参照して、本発明の実施の形態に係る表示制御装置１を説明する。表示制御装置１は、記憶装置１０および処理装置２０などを備える一般的なコンピュータである。表示制御装置１は、一般的なコンピュータが所定の機能を実現するためのプログラムを実行することによって、図２に示す各機能を実現する。
【００２７】
表示制御装置１はさらに、無線通信インタフェース３１と、モバイル通信インタフェース３２を備える。無線通信インタフェース３１は、無線通信ネットワーク５を介して、コンテンツ提供サーバ４に接続するためのインタフェースである。無線通信インタフェース３１は、例えば、Ｗｉ−Ｆｉ無線通信のネットワークチップなどである。
【００２８】
モバイル通信インタフェース３２は、モバイル通信ネットワーク６を介して、コンテンツ提供サーバ４に接続するためのインタフェースである。モバイル通信インタフェース３２は、例えばＳＩＭ（Subscriber Identity Module Card）などである。
【００２９】
記憶装置１０は、位置情報データ１１、モードデータ１２、コンテンツデータ１３、プレイリストデータ１４、および選択ネットワークデータ１５を記憶する。
【００３０】
位置情報データ１１は、位置情報取得手段２１によって取得されたバス７の位置を特定可能な情報である。位置情報データ１１によるバス７の位置は、ＧＰＳ（Global Positioning System）によって、緯度経度情報として特定されても良いし、所定の停留所を通過したなど、バスの運転手が入力する情報によって特定されても良い。
【００３１】
モードデータ１２は、表示装置２に表示するコンテンツを特定するための条件の一つの情報である。モードデータ１２は、例えば、平常時と非常時とで表示するコンテンツを変更する場合、モードデータ１２に、平常時または非常時のいずれかを特定する情報が設定される。ここで、平常時は、例えば、災害、悪天候、電車遅延などが発生していない状況で、非常時は、これらが発生している状況を指すが、コンテンツデータや実装されるシステムにおいて、適宜設定されてもよい。また平常時または非常時かの２つのみならず、激甚災害時などの他のモードが設定されても良い。
【００３２】
コンテンツデータ１３は、表示装置２およびスピーカー３に入力されるデータであって、コンテンツ提供サーバ４から提供される。コンテンツデータ１３は、複数のコンテンツデータの集合体であっても良い。
【００３３】
プレイリストデータ１４は、表示装置２およびスピーカーに出力するコンテンツデータと、出力する条件とを対応づけたデータである。プレイリストデータ１４は、バス７の運行ルートに従って設定されても良い。
【００３４】
プレイリストデータ１４は、図３に示すように、コンテンツを出力する条件と、出力されるコンテンツの情報を対応づけたデータである。コンテンツを出力する条件は、バス７の位置、平常時または非常時などを示すモード、朝、昼、夜などを示す時間などである。出力されるコンテンツの情報は、表示装置２に出力されるコンテンツデータの識別子、スピーカー３に出力されるコンテンツデータの識別子などである。ここで、非常時には音声を大きくするなど、コンテンツを出力する際のボリュームなどの設定情報が対応づけられても良い。
【００３５】
プレイリストデータ１４において、何ら条件が設定されない場合、条件にかかわらずコンテンツが出力されることを示しても良い。また所定の条件に対して、表示装置２に入力するコンテンツデータの識別子と、スピーカー３に入力するコンテンツデータの識別子の両方が設定される必要はなく、いずれか一方が設定されれば良い。またバスの位置の情報は、図３に示すように、バス７の運行ルートに従って特定されても良いし、緯度経度情報等に基づいて特定されても良い。
【００３６】
また、所定の条件において、複数のコンテンツデータを出力する際、コンテンツデータの識別子に、そのコンテンツデータを出力する順序を対応づけても良い。
【００３７】
選択ネットワークデータ１５は、表示制御装置１がコンテンツ提供サーバ４との接続に用いる通信ネットワークの識別子を含む。本発明の実施の形態において選択ネットワークデータ１５に、後述するネットワーク確認手段２５によって、データのダウンロードに用いるために決定された、無線通信ネットワーク５またはモバイル通信ネットワーク６のいずれかの識別子が設定される。
【００３８】
処理装置２０は、位置情報取得手段２１、モード取得手段２２、コンテンツ表示手段２３およびコンテンツ取得手段２４を備える。
【００３９】
位置情報取得手段２１は、随時または所定のタイミングで、バス７の現在位置を取得して、位置情報データ１１を更新する。位置情報取得手段２１は、ＧＰＳ受信機であって、バス７の位置を緯度経度情報で特定しても良い。また位置情報取得手段２１は、所定の停留所を通過した際などに、バスの運転手が指示を入力することによって、現在のバス７の位置を測定しても良い。
【００４０】
モード取得手段２２は、表示装置２に表示するコンテンツを特定するための条件を取得して、モードデータ１２に設定する。モード取得手段２２は、モードデータ１２に「平常時」を設定し、例えば、コンテンツ提供サーバ４にアクセスして「非常時」であることを検知すると、モードデータ１２に「非常時」を設定する。コンテンツ提供サーバ４は、運用者から入力されるモードの設定、すなわち「平常時」、「非常時」などの設定を保持する。ここで表示制御装置１は、定期的にコンテンツ提供サーバ４にアクセスしてプレイリストデータの変更の有無やモードの変更の有無などを確認し、モードの変更があったことを検知すると、モード取得手段２２が変更後のモードを取得して、モードデータ１２を更新する。なお、モード取得手段２２がコンテンツ提供サーバ４にアクセスしてモードを取得する場合を説明したが、これに限られない。例えば、モード取得手段２２は、緊急信号を受信したりすると、モードデータ１２に「非常時」を設定しても良いし、バス７の運転手等の操作に従って、モードデータ１２に所定のモードを設定しても良い。
【００４１】
コンテンツ表示手段２３は、プレイリストデータ１４を参照して、条件に適合するコンテンツデータを、表示装置２に表示させる。コンテンツ表示手段２３は、位置情報データ１１、モードデータ１２およびシステム時計（図示せず）等を参照して、コンテンツを表示する条件を特定する。さらにコンテンツ表示手段２３は、プレイリストデータ１４を参照して、特定した条件に適合するコンテンツの識別子を特定し、特定したコンテンツを、コンテンツデータ１３から読み出して表示装置２およびスピーカー３に入力し、表示装置２およびスピーカー３に出力させる。
【００４２】
コンテンツ取得手段２４は、表示制御装置１が参照するコンテンツデータ１３やプレイリストデータ１４を、コンテンツ提供サーバ４から取得する。具体的にはコンテンツ取得手段２４は、コンテンツ提供サーバ４に、表示装置２およびスピーカー３に出力するコンテンツデータを指定するプレイリストデータを要求し、コンテンツ提供サーバ４からプレイリストデータ１４を受信し、記憶装置１０に記憶する。コンテンツ取得手段２４は、プレイリストデータを要求する際、バス７の識別子をコンテンツ提供サーバ４に送信し、バスの運行ルート等に適合したプレイリストデータを取得しても良い。
【００４３】
さらにコンテンツ取得手段２４は、プレイリストデータ１４で指定されたコンテンツデータのうち、表示制御装置１の記憶装置１０が記憶していないコンテンツデータを特定して、コンテンツ提供サーバ４に、特定したコンテンツデータを要求する。コンテンツ取得手段２４は、コンテンツ提供サーバ４から、特定したコンテンツデータを取得し、記憶装置１０に記憶する。
【００４４】
ここでコンテンツ取得手段２４は、無線通信インタフェース３１およびモバイル通信インタフェース３２のうち、後述のネットワーク確認手段２５によって決定された通信インタフェースを介して、コンテンツ提供サーバ４に接続し、所望のデータを取得する。
【００４５】
またコンテンツ取得手段２４は、コンテンツ提供サーバ４にデータを要求する際、１パケットあたりのデータ量を指定する。ここで無線通信インタフェース３１を介してデータを取得する場合のデータ量は、モバイル通信インタフェース３２を介してデータを取得する場合のデータ量よりも大きくなるように制御する。一般的に、モバイル通信ネットワーク６は、通信帯域が狭い一方、通信可能エリアが広い傾向があり、無線通信ネットワーク５は、通信帯域が広い一方、通信可能エリアが制限される傾向がある。ここで、モバイル通信ネットワーク６を利用する際は、１パケットあたりのデータ量を小さく設定し、無線通信ネットワーク５を利用する際は、１パケットあたりのデータ量を大きく設定することにより、通信ネットワークの特性に応じて、確実にデータを取得することを可能にする。
【００４６】
特に本発明の実施の形態において、非常時に提供するべき情報は、時々刻々と変化し、乗客の関心も高く、小さいデータサイズで生成されるので、無線通信ネットワーク５を利用できない位置であっても、モバイル通信ネットワーク６を介して、確実に取得し、表示装置２やスピーカー３に出力させることを可能とする。
【００４７】
ネットワーク確認手段２５は、無線通信インタフェース３１およびモバイル通信インタフェース３２のうちの少なくともいずれかを介して、コンテンツ提供サーバ４にテストパケットを送信し、テストパケットを送信した結果に基づいて、無線通信インタフェース３１およびモバイル通信インタフェース３２のいずれで通信するかを決定する。コンテンツ取得手段２４は、ネットワーク確認手段２５が決定した通信インタフェースを介して、コンテンツ提供サーバ４にデータを要求し、コンテンツ提供サーバ４から、データを取得する。
【００４８】
ネットワーク確認手段２５は、例えば５００キロバイトなどの所定のデータサイズのデータ（テストパケット）を、無線通信インタフェース３１および無線通信ネットワーク５を介して、コンテンツ提供サーバ４が応答するコマンドで送信する。具体的には、ネットワーク確認手段２５は、ＰＩＮＧコマンドに、５００キロバイトなどのデータサイズを設定して、無線通信インタフェース３１および無線通信ネットワーク５を介して、コンテンツ提供サーバ４に送信する。ここで、コンテンツ提供サーバ４は、ＰＩＮＧコマンドを受信すると、そのＰＩＮＧコマンドに対して応答する。
【００４９】
ネットワーク確認手段２５が、コンテンツ提供サーバ４からの応答を正常に受信すると、無線通信ネットワーク５が正常に稼働していると判定する。この場合コンテンツ取得手段２４が無線通信ネットワーク５を用いるよう、ネットワーク確認手段２５は、選択ネットワークデータ１５を更新する。
【００５０】
一方、所定のリトライ数を繰り返しても、コンテンツ提供サーバ４から所定時間内に応答を受信しないままタイムアウトした場合や、応答を受信したものの受信までに多大な時間がかかった場合などは、ネットワーク確認手段２５は、無線通信ネットワーク５が正常に稼働していないと判定する。この場合コンテンツ取得手段２４にモバイル通信ネットワーク６を用いるよう、ネットワーク確認手段２５は、選択ネットワークデータ１５を更新する。
【００５１】
本発明の実施の形態においては、ネットワーク確認手段２５が、無線通信ネットワーク５にのみテストパケットを送信し、無線通信ネットワーク５の稼働状況を判定する場合を説明するが、これに限られない。例えば、ネットワーク確認手段２５は、無線通信ネットワーク５とモバイル通信ネットワーク６の両方にテストパケットを送信して、無線通信ネットワーク５とモバイル通信ネットワーク６のネットワーク状況をそれぞれ判定してネットワーク状況が良好な通信ネットワークを決定し、選択ネットワークデータ１５を更新しても良い。また、両方の通信ネットワーク状況が不良の場合、所定時間後に、再度、テストパケットを送信しても良い。時間が経過することにより、バス７の移動に伴って通信状況が改善する場合があるからである。
【００５２】
（表示制御方法）
図４を参照して、本発明の実施の形態に係る表示制御方法を説明する。
【００５３】
まずステップＳ１において表示制御装置１は、コンテンツ提供サーバ４からコンテンツを取得する。ステップＳ２において表示制御装置１は、バス７の位置情報、時間、通常時また非常時の別などの、出力するコンテンツを決定する条件を取得する。
【００５４】
ステップＳ３において表示制御装置１は、ステップＳ１で取得したコンテンツから、ステップＳ２で取得した条件に従って表示するコンテンツを特定し、表示装置２に表示する。ステップＳ４においてバス７が所定の運行を終了するまで、ステップＳ２ないしステップＳ４の処理は繰り返される。
【００５５】
なお、ステップＳ１のコンテンツ取得処理は、バス７の運行中において、逐次実行されても良い。
【００５６】
図５を参照して、本発明の実施の形態に係るコンテンツ取得処理を説明する。
【００５７】
まずステップＳ１１において表示制御装置１は、コンテンツ取得のタイミングであるか否かを判定する。例えば、５分おきにコンテンツの取得をする場合、前回の取得から５分以上経過したか否かを判定する。取得タイミングでない場合、そのまま処理を終了する。
【００５８】
取得タイミングの場合、ステップＳ１２において表示制御装置１は、無線通信インタフェース３１を介して、コンテンツ提供サーバ４にテストパケットを送信する。ステップＳ１３において表示制御装置１は、テストパケットの返信の受信状況に応じて、コンテンツをダウンロードするか否かを判定する。ダウンロードしない場合、そのまま処理を終了する。コンテンツをダウンロードする場合、ステップＳ１４において、コンテンツをダウンロードする通信回線を決定する。さらにステップＳ１５において、ダウンロードで用いるパケットのウィンドウサイズ、具体的には１パケットあたりのデータ量も決定する。
【００５９】
ステップＳ１６において表示制御装置１は、コンテンツ提供サーバ４に接続して、プレイリストデータ１４が更新されているか否かを判定する。プレイリストデータ１４が更新されていない場合、ダウンロードするコンテンツがないので、そのまま処理を終了する。
【００６０】
プレイリストデータ１４が更新されている場合、ステップＳ１７において表示制御装置１は、コンテンツ提供サーバ４から新たなプレイリストデータを取得し、記憶装置１０に記憶する。
【００６１】
ステップＳ１８において表示制御装置１は、記憶装置１０に記憶されるコンテンツデータと、プレイリストデータ１４で特定されるコンテンツデータとを比較して、ダウンロード対象のコンテンツデータがあるか否かを判定する。ダウンロードするコンテンツデータがない場合、そのまま処理を終了する。ダウンロードするコンテンツデータがある場合、ステップＳ１９において表示制御装置１は、ステップＳ１５およびステップＳ１７の決定により特定された通信回線および１パケットあたりのデータ量で、コンテンツ提供サーバ４からコンテンツデータをダウンロードする。
【００６２】
以上に説明した本発明の実施の形態に係る表示制御装置１は、コンテンツ提供サーバ４に接続するための異なる通信ネットワークを介した複数のルートを有している。コンテンツデータ１３をダウンロードする際、表示制御装置１は、それぞれの通信ルート、またはいずれか一方にテストデータを送信して、コンテンツデータ１３のダウンロードに用いる通信ルートを特定する。これにより表示制御装置１は、より良好な通信ルートを選択して、コンテンツデータ１３をダウンロードすることができる。また表示制御装置１は、良好な通信ルートを確保できない場合、所定時間経過後、改めて通信ルートを選択しても良い。
【００６３】
このような表示制御装置１は、バス７などの移動体に搭載された表示装置２にコンテンツを表示する場合に好適である。すなわち、バス７は逐次移動するので、通信状況が逐次変化する。そこで、バス７の位置に応じて、良好な通信ルートを選択することにより、選択した通信ルートで円滑にコンテンツデータをダウンロードすることができる。
【００６４】
また上述の表示制御装置１は、バス７に搭載される場合を説明したが、電車などの他の移動体に搭載されても良い。
【００６５】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００６６】
例えば、本発明の実施の形態に記載した表示制御装置は、図１に示すように一つのハードウエア上に構成されても良いし、その機能や処理数に応じて複数のハードウエア上に構成されても良い。また、既存の処理システム上に実現されても良い。
【００６７】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６８】
１  表示制御装置
２  表示装置
３  スピーカー
４  コンテンツ提供サーバ
５  無線通信ネットワーク
５ａ  無線通信アクセスポイント
６  モバイル通信ネットワーク
６ａ  モバイル通信基地局
７  バス
８  コンテンツ表示システム
１０  記憶装置
１１  位置情報データ
１２  モードデータ
１３  コンテンツデータ
１４  プレイリストデータ
１５  選択ネットワークデータ
２０  処理装置
２１  位置情報取得手段
２２  モード取得手段
２３  コンテンツ表示手段
２４  コンテンツ取得手段
２５  ネットワーク確認手段
３１  無線通信インタフェース
３２  モバイル通信インタフェース
【図１】
0006427475.tif 000002
【図２】
0006427475.tif 000003
【図３】
0006427475.tif 000004
【図４】
0006427475.tif 000005
【図５】
0006427475.tif 000006